(57)【要約】【課題】  ベッドの柵にティッシュボックスを設置するために用いるティッシュボックス固定具に関する。【解決手段】  ベッドの柵ＳにティッシュボックスＴを取り付ける固定具１であって、ティッシュボックスを収納可能な収納部２と、収納部の上部に設けられ柵を挟持可能な固定部３とを備え、固定部が、柵の太さに応じて挟持幅を調整可能である。このティッシュボックス固定具は、固定部が、柵の外側面側に配される柵外側部３ａと、柵の上面側に配される柵上部と、柵上部に上部が取り付けられ柵の内側面に配される柵内側部材３ｃとを有し、柵上部が、締め付けることで柵内側部材の上部を下端部で押さえ付けて固定可能であると共に、緩めることで柵外側部と柵内側部材との間隔を調整可能なネジ固定部４を備えている。【選択図】      図１
0003200034.tif 000002
【実用新案登録請求の範囲】
【請求項１】
ベッドの柵にティッシュボックスを取り付ける固定具であって、
前記ティッシュボックスを収納可能な収納部と、
前記収納部の上部に設けられ前記柵を挟持可能な固定部とを備え、
前記固定部が、前記柵の太さに応じて挟持幅を調整可能であることを特徴とするティッシュボックス固定具。
【請求項２】
請求項１に記載のティッシュボックス固定具において、
前記固定部が、前記柵の外側面側に配される柵外側部と、
前記柵外側部の上部に接続され前記柵の上面側に配される柵上部と、
前記柵上部に上部が取り付けられ前記柵の内側面に配される柵内側部材とを有し、
前記柵上部が、締め付けることで前記柵内側部材の上部を下端部で押さえ付けて固定可能であると共に、緩めることで前記柵外側部と前記柵内側部材との間隔を調整可能なネジ固定部を備えていることを特徴とするティッシュボックス固定具。
【請求項３】
請求項１に記載のティッシュボックス固定具において、
前記固定部が、先端側に前記柵を挟み込み可能な一対の挟持部を有すると共に基端側に一対のつまみ部を有し前記挟持部と前記つまみ部との間に配された開閉軸を中心に回動可能な一対の挟持部材と、
一対の前記挟持部を閉方向に付勢する付勢部材とを備えていることを特徴とするティッシュボックス固定具。
【請求項４】
請求項１から３のいずれか一項に記載のティッシュボックス固定具において、
前記収納部が、金属線材で構成されていることを特徴とするティッシュボックス固定具。
【請求項５】
請求項４に記載のティッシュボックス固定具において、
前記金属線材のうち前記収納部の外周部分に配された少なくとも一部が、可撓性チューブで覆われていることを特徴とするティッシュボックス固定具。
【請求項６】
請求項４又は５に記載のティッシュボックス固定具において、
前記収納部が、上部に開口部を有し、前記ティッシュボックスのティッシュ取り出し口を外側の正面に向けた状態で前記ティッシュボックスを前記開口部から挿入可能であり、
前記ティッシュボックスの両端面側に配されて前記ティッシュボックスの両端面を支持可能な一対の端面支持部と、
前記ティッシュボックスの下面側に配されて前記ティッシュボックスの下面を支持可能な下面支持部と、
前記ティッシュボックスの正面側を支持可能な正面支持部と、
前記ティッシュボックスの背面側を支持可能な背面支持部とを備え、
前記正面支持部が、前記ティッシュ取り出し口の正面を避けて前記金属線材を配していることを特徴とするティッシュボックス固定具。
【考案の詳細な説明】
【技術分野】
【０００１】
本考案は、ベッドの柵にティッシュボックスを設置するために用いるティッシュボックス固定具に関する。
【背景技術】
【０００２】
一般に、病院等で使用されるベッドや介護用ベッドでは、ベッド上にティッシュボックスを置いて使用している場合が多い。しかしながら、このようなベッドでは、上体を起こす背上げ機構（リクライニング機構）を有しており、ベッドの一部を傾斜状態に起こすと、載置していたティッシュボックスが滑り落ちてしまう不都合があった。そのため、ベッドの柵等にティッシュボックスを取り付けるティッシュボックスホルダー（ティッシュボックス固定具）が提案されている。
【０００３】
例えば、特許文献１では、線材で形成され、ティッシュボックス両隅に差し込み部を差し込んで保持すると共に、ベッドの手すり等を挟み込み部で挟み込んで設置するティッシュボックスホルダーが提案されている。
また、特許文献２では、線材で構成され、ティッシュボックスの両角に取付部を差し込んでティッシュボックスを保持すると共に、引掛部をベッドの手すり等に引っ掛けて設置するティッシュボックスホルダーが提案されている。
【０００４】
さらに、特許文献３では、2枚のツメ付きプレートでティッシュボックスを挟むと共に、取付片を介護ベッドの柵の上に掛けることで、介護ベッド柵の外側にティッシュボックスを取り付けるティッシュボックスホルダーが提案されている。
【先行技術文献】
【特許文献】
【０００５】
【特許文献１】特開２０１５−４４５９６号公報
【特許文献２】特開２００５−２３９２８４号公報
【特許文献３】特開２００８−２３０６９７号公報
【考案の概要】
【考案が解決しようとする課題】
【０００６】
上記従来の技術には、以下の課題が残されている。
すなわち、従来のティッシュボックスホルダーでは、ベッドの柵（手すり）を線材の弾性を利用して線材で挟み込んだり、引っ掛けることで、ティッシュボックスホルダーを柵に取り付けているが、ベッドによって柵の太さが異なり、柵の太さに応じたティッシュボックスホルダーを容易する必要があった。特に、病院等で柵のサイズが異なるベッドが複数設置されている場合、サイズの異なる取付部分のティッシュボックスホルダーを複数容易する必要があると共に、取付時に対応サイズを確認する手間が必要であり、面倒であるという問題があった。
【０００７】
本考案は、前述の課題に鑑みてなされたもので、取り付ける柵の太さに容易に対応できるティッシュボックス固定具を提供することを目的とする。
【課題を解決するための手段】
【０００８】
本考案は、前記課題を解決するために以下の構成を採用した。すなわち、第１の考案に係るティッシュボックス固定具は、ベッドの柵にティッシュボックスを取り付ける固定具であって、前記ティッシュボックスを収納可能な収納部と、前記収納部の上部に設けられ前記柵を挟持可能な固定部とを備え、前記固定部が、前記柵の太さに応じて挟持幅を調整可能であることを特徴とする。
【０００９】
本考案のティッシュボックス固定具では、固定部が、柵の太さに応じて挟持幅を調整可能であるので、固定部の挟持幅を調整することで様々な太さの柵に取り付けが可能であり、複数種類のティッシュボックス固定具を用意する必要が無い。
【００１０】
第２の考案に係るティッシュボックス固定具は、第１の考案において、前記固定部が、前記柵の外側面側に配される柵外側部と、前記柵外側部の上部に接続され前記柵の上面側に配される柵上部と、前記柵上部に上部が取り付けられ前記柵の内側面に配される柵内側部材とを有し、前記柵上部が、締め付けることで前記柵内側部材の上部を下端部で押さえ付けて固定可能であると共に、緩めることで前記柵外側部と前記柵内側部材との間隔を調整可能なネジ固定部を備えていることを特徴とする。
すなわち、このティッシュボックス固定具では、柵上部が、締め付けることで柵内側部材の上部を下端部で押さえ付けて固定可能であると共に、緩めることで柵外側部と柵内側部材との間隔を調整可能なネジ固定部を備えているので、ネジ固定部の操作によって柵外側部と柵内側部材との間隔が調整でき、固定部を柵の太さに容易に対応させることができる。
【００１１】
第３の考案に係るティッシュボックス固定具は、第１の考案において、前記固定部が、先端側に前記柵を挟み込み可能な一対の挟持部を有すると共に基端側に一対のつまみ部を有し前記挟持部と前記つまみ部との間に配された開閉軸を中心に回動可能な一対の挟持部材と、一対の前記挟持部を閉方向に付勢する付勢部材とを備えていることを特徴とする。
すなわち、このティッシュボックス固定具では、固定部が、先端側に柵を挟み込み可能な一対の挟持部を有すると共に基端側に一対のつまみ部を有し挟持部とつまみ部との間に配された開閉軸を中心に回動可能な一対の挟持部材と、一対の挟持部を閉方向に付勢する付勢部材とを備えているので、一対のつまみ部をつまんで操作することで、洗濯ばさみのように一対の挟持部を開閉することができ、太さの異なる柵にも容易に固定部を取り付けることができる。
【００１２】
第４の考案に係るティッシュボックス固定具は、第１から第３の考案のいずれかにおいて、前記収納部が、金属線材で構成されていることを特徴とする。
すなわち、このティッシュボックス固定具では、収納部が、金属線材で構成されているので、軽量であると共に高い剛性を有してティッシュボックスを保持することができる。
【００１３】
第５の考案に係るティッシュボックス固定具は、第４の考案において、前記金属線材のうち前記収納部の外周部分に配された少なくとも一部が、可撓性チューブで覆われていることを特徴とする。
すなわち、このティッシュボックス固定具では、金属線材のうち収納部の外周部分に配された少なくとも一部が、シリコンチューブ等の可撓性チューブで覆われているので、ベッドを利用する患者等が接触しやすい収納部の外周部分において、硬い金属線材に直接触れることを抑制でき、接触した際に可撓性チューブによって衝撃を緩和することができる。
【００１４】
第６の考案に係るティッシュボックス固定具は、第４又は第５の考案において、前記収納部が、上部に開口部を有し、前記ティッシュボックスのティッシュ取り出し口を外側の正面に向けた状態で前記ティッシュボックスを前記開口部から挿入可能であり、前記ティッシュボックスの両端面側に配されて前記ティッシュボックスの両端面を支持可能な一対の端面支持部と、前記ティッシュボックスの下面側に配されて前記ティッシュボックスの下面を支持可能な下面支持部と、前記ティッシュボックスの正面側を支持可能な正面支持部と、前記ティッシュボックスの背面側を支持可能な背面支持部とを備え、前記正面支持部が、前記ティッシュ取り出し口の正面を避けて前記金属線材を配していることを特徴とする。
すなわち、このティッシュボックス固定具では、収納部が、上部に開口部を有し、ティッシュボックスのティッシュ取り出し口を外側の正面に向けた状態でティッシュボックスを開口部から挿入可能であるので、容易に上方から収納部へティッシュボックスを挿入及び取り出しが可能である。また、このティッシュボックス固定具では、正面支持部が、ティッシュ取り出し口の正面を避けて金属線材を配しているので、容易に正面側のティッシュ取り出し口からティッシュを取り出し可能である。
【考案の効果】
【００１５】
本考案によれば、以下の効果を奏する。
すなわち、本考案に係るティッシュボックス固定具によれば、固定部が、柵の太さに応じて挟持幅を調整可能であるので、固定部の挟持幅を調整することで様々な太さの柵に取り付けが可能である。したがって、一種類の本考案のティッシュボックス固定具により、太さの異なる種々の柵にティッシュボックスを取り付けることができ、複数種類のティッシュボックス固定具を用意する必要が無いと共に、柵のサイズの異なる多様なベッドに対応することが可能である。
【図面の簡単な説明】
【００１６】
【図１】本考案に係るティッシュボックス固定具の第１実施形態において、ベッドの柵に取り付けた状態のティッシュボックス固定具を示す正面図である。
【図２】第１実施形態において、ベッドの柵に取り付けた状態のティッシュボックス固定具を示す上面図である。
【図３】図１のＡ−Ａ線矢視断面図である。
【図４】本考案に係るティッシュボックス固定具の第２実施形態を示す斜視図である。
【考案を実施するための形態】
【００１７】
以下、本考案に係るティッシュボックス固定具の第１実施形態を、図１から図３を参照しながら説明する。
【００１８】
本実施形態のティッシュボックス固定具１は、図１から図３に示すように、ベッドＢの柵ＳにティッシュボックスＴを取り付ける固定具であって、ティッシュボックスＴを収納可能な収納部２と、収納部２の上部に設けられ柵Ｓを挟持可能な固定部３とを備えている。
上記固定部３は、図３に示すように、柵Ｓの太さに応じて挟持幅Ｈを調整可能とされている。
【００１９】
上記固定部３は、柵Ｓの外側面側に配される柵外側部３ａと、柵外側部３ａの上部に接続され柵Ｓの上面側に配される柵上部３ｂと、柵上部３ｂに上部が取り付けられ柵Ｓの内側面に配される柵内側部材３ｃとを有している。
上記柵上部３ｂは、締め付けることで柵内側部材３ｃの上部を下端部で押さえ付けて固定可能であると共に、緩めることで柵外側部３ａと柵内側部材３ｃとの間隔を調整可能なネジ固定部４を備えている。
【００２０】
上記ネジ固定部４は、柵上部３ｂの両端にそれぞれ設置されており、柵上部３ｂ上に溶接等で固定された断面矩形状の金属製の筒状部材４ａと、この筒状部材４ａの上面に形成された雌ねじ孔（図示略）に螺着された雄ネジ部材４ｂとで構成されている。
上記雄ネジ部材４ｂは、上端に頭部を有しており、この頭部を回すことで、下部を筒状部材４ａ内にねじ込むことができ、筒状部材４ａに対して上下動可能である。
上記ネジ固定部４を除く固定部３及び収納部２は、金属線材で構成されている。上記金属線材としては、例えばステンレス線材等が採用される。
【００２１】
上記柵内側部材３ｃは、筒状部材４ａ内に内側から挿入され水平方向かつ柵Ｓに対して直交方向に延在する棒状の上部挿入部３ｄと、上部挿入部３ｄに接続されていると共に柵Ｓの内側（背面側）に配され垂直方向に延在する柵内側部３ｅと、柵内側部３ｅに接続されていると共に柵Ｓの下面側に配されコ字状の柵下面側部３ｆとを有している。すなわち、柵Ｓは、柵外側部３ａと柵内側部３ｅとの間で挟持され、上記挟持幅Ｈは、柵外側部３ａと柵内側部３ｅとの間隔である。
【００２２】
上記上部挿入部３ｄは、雄ネジ部材４ｂの下端部と筒状部材４ａの内底面との間で挟持されている。したがって、雄ネジ部材４ｂを緩めることで上部挿入部３ｄの固定が解除可能であり、上部挿入部３ｄの挿入量を柵Ｓの太さ（幅）に対応させて調整することができる。
【００２３】
なお、取付の際には、雄ネジ部材４ｂを緩めることで柵内側部材３ｃを取り外し、柵Ｓの上面に柵上部３ｂを載置した後に、柵Ｓの内側から筒状部材４ａ内に上部挿入部３ｄを挿入し、柵Ｓを柵外側部３ａと柵内側部３ｅとの間に配した後に柵外側部３ａと柵内側部３ｅとの間隔を狭め、さらに雄ネジ部材４ｂを締めて上部挿入部３ｄを固定することで、柵外側部３ａと柵内側部材３ｃとにより柵Ｓを挟持する。
【００２４】
上記収納部２は、上部に開口部を有し、ティッシュボックスＴのティッシュ取り出し口Ｔ１を外側の正面に向けた状態でティッシュボックスＴを開口部から挿入可能であり、ティッシュボックスＴの両端面Ｔ２側に配されてティッシュボックスＴの両端面Ｔ２を支持可能な一対の端面支持部２ａと、ティッシュボックスＴの下面Ｔ３側に配されてティッシュボックスＴの下面Ｔ３を支持可能な下面支持部２ｂと、ティッシュボックスＴの正面Ｔ４側を支持可能な正面支持部２ｃと、ティッシュボックスＴの背面Ｔ５側を支持可能な背面支持部２ｄとを備えている。
【００２５】
上記端面支持部２ａは、ティッシュボックスＴの端面Ｔ２に対向して水平方向に延在した上下一対の第１棒状部２ｅを有している。
上記下面支持部２ｂは、コ字状に構成され、ティッシュボックスＴの下面Ｔ３に沿って延在した第２棒状部２ｆと、ティッシュボックスＴの両端近傍でティッシュボックスＴの厚み方向（背面Ｔ５から正面Ｔ４までの厚さ）に延在する一対の第３棒状部２ｇとで形成されている。
【００２６】
上記正面支持部２ｃは、両端面Ｔ２の端面支持部２ａに接続されてティッシュボックスＴの正面Ｔ４に沿って延在した上下一対の第４棒状部２ｈと、これら第４棒状部２ｈを両端近傍で連結する上下に延在した一対の第５棒状部２ｉとで構成されている。
上記背面支持部２ｄは、第１棒状部２ｅに一端が接続され水平方向に延在した第６棒状部２ｊと、上下の第６棒状部２ｊの他端を連結し上下に延在する第７棒状部２ｋと、柵外側部３ａと第３棒状部２ｇとを連結し上下に延在する第８棒状部２ｌとで構成されている。
【００２７】
上記正面支持部２ｃは、ティッシュ取り出し口Ｔ１の正面を避けて金属線材を配している。すなわち、正面支持部２ｃにおける一対の第４棒状部２ｈが、ティッシュ取り出し口Ｔ１の上下に配されていると共に、一対の第５棒状部２ｉが、ティッシュ取り出し口Ｔ１の左右に配されている。
【００２８】
上記金属線材のうち収納部２の外周部分に配された少なくとも一部は、可撓性チューブ６で覆われている。上記可撓性チューブ６としては、例えばシリコンチューブが採用される。本実施形態では、一対の第４棒状部２ｈと、一対の第１棒状部２ｅとに可撓性チューブ６が装着されている。
【００２９】
上記固定部３を柵Ｓに取り付けた状態では、図３に示すように、上記収納部２の背面支持部２ｄが、ベッドＢの側面部分に当接した状態で支持される。
なお、固定部３と収納部２との上下方向の距離は任意に決定されるが、互いの距離を自在に変更可能な機構を設けても構わない。
【００３０】
このように本実施形態のティッシュボックス固定具１では、固定部３が、柵Ｓの太さに応じて挟持幅Ｈを調整可能であるので、固定部３の挟持幅Ｈを調整することで様々な太さの柵Ｓに取り付けが可能であり、複数種類のティッシュボックス固定具を用意する必要が無い。
【００３１】
また、柵上部３ｂが、締め付けることで柵内側部材３ｃの上部を下端部で押さえ付けて固定可能であると共に、緩めることで柵外側部３ａと柵内側部材３ｃとの間隔を調整可能なネジ固定部４を備えているので、ネジ固定部４の操作によって柵外側部３ａと柵内側部材３ｃとの間隔が調整でき、固定部３を柵Ｓの太さに容易に対応させることができる。
【００３２】
また、収納部２が、金属線材で構成されているので、軽量であると共に高い剛性を有してティッシュボックスＴを保持することができる。
また、金属線材のうち収納部２の外周部分に配された少なくとも一部が、シリコンチューブ等の可撓性チューブ６で覆われているので、ベッドを利用する患者等が接触しやすい収納部２の外周部分において、硬い金属線材に直接触れることを抑制でき、接触した際に可撓性チューブ６によって衝撃を緩和することができる。
【００３３】
さらに、収納部２が、上部に開口部を有し、ティッシュボックスＴのティッシュ取り出し口Ｔ１を外側の正面に向けた状態でティッシュボックスＴを開口部から挿入可能であるので、容易に上方から収納部２へティッシュボックスＴを挿入及び取り出しが可能である。また、このティッシュボックス固定具１では、正面支持部２ｃが、ティッシュ取り出し口Ｔ１の正面を避けて金属線材を配しているので、容易に正面側のティッシュ取り出し口Ｔ１からティッシュを取り出し可能である。
【００３４】
次に、本考案に係るティッシュボックス固定具の第２実施形態について、図４を参照して以下に説明する。なお、以下の実施形態の説明において、上記実施形態において説明した同一の構成要素には同一の符号を付し、その説明は省略する。
【００３５】
第２実施形態と第１実施形態との異なる点は、第１実施形態では、固定部２が断面略矩形状の柵Ｓに対応した固定部２を備えているのに対し、第２実施形態のティッシュボックス固定具２１は、図４に示すように、断面円形状の柵Ｓに対応した固定部２２を備えている点である。
すなわち、第２実施形態では、固定部２２が、先端側に柵Ｓを挟み込み可能な一対の挟持部２３ａを有すると共に基端側に一対のつまみ部２３ｂを有し挟持部２３ａとつまみ部２３ｂとの間に配された開閉軸２３ｃを中心に回動可能な一対の挟持部材２３と、一対の挟持部２３ａを閉方向に付勢する付勢部材（図示略）とを備えている点である。
【００３６】
このように第２実施形態では、固定部２２が丸棒状の柵Ｓを挟持可能な洗濯ばさみ的な構造を有している。
上記固定部２２は、柵上部３ｂの上部に両端部分が溶接等で固定された長板状のＳＵＳ製板部材２４を備えている。この板部材２４の両端部は、下方に折り曲げられており、この折り曲げ部分の外側に挟持部材２３が開閉軸２３ｃにおいてねじ止めされている。
上記付勢部材は、一対の挟持部材２３に取り付けられたバネ部材であり、例えば既知の洗濯ばさみやクリップ等で用いられているものである。
【００３７】
上記一対の挟持部２３ａは、互いに内側を対向させた円弧状に形成されており、内面にはゴム製の凹凸部２３ｄが形成されている。したがって、一対の挟持部２３ａが、柵Ｓの外周面に沿って上下で柵Ｓを挟み込むと共に、凹凸部２３ｄで滑りを抑制することができる。
上記一対のつまみ部２３ｂは、開閉軸２３ｃから端部に向かって互いの間隔が広がるように延在して形成され、指でつまみ易くされている。
なお、図４では、可撓性チューブの図示は省略している。
【００３８】
このように第２実施形態のティッシュボックス固定具２１では、固定部２２が、先端側に柵Ｓを挟み込み可能な一対の挟持部２３ａを有すると共に基端側に一対のつまみ部２３ｂを有し挟持部２３ａとつまみ部２３ｂとの間に配された開閉軸２３ｃを中心に回動可能な一対の挟持部材２３と、一対の挟持部２３ａを閉方向に付勢する付勢部材とを備えているので、一対のつまみ部２３ｂをつまんで操作することで、洗濯ばさみのように一対の挟持部２３ａを開閉することができ、太さの異なる柵Ｓにも容易に固定部２２を取り付けることができる。
【００３９】
なお、本考案の技術範囲は上記各実施形態に限定されるものではなく、本考案の趣旨を逸脱しない範囲において種々の変更を加えることが可能である。
【符号の説明】
【００４０】
１，２１…ティッシュボックス固定具、２，２２…収納部、２ａ…端面支持部、２ｂ…下面支持部、２ｃ…正面支持部、２ｄ…背面支持部、３…固定部、３ａ…柵外側部、３ｂ…柵上部、３ｃ…柵内側部材、４…ネジ固定部、６…可撓性チューブ、２３…挟持部材、２３ａ…挟持部、２３ｂ…つまみ部、２３ｃ…開閉軸、Ｈ…挟持幅、Ｓ…柵、Ｔ…ティッシュボックス、Ｔ１…ティッシュ取り出し口
【図１】
0003200034.tif 000003
【図２】
0003200034.tif 000004
【図３】
0003200034.tif 000005
【図４】
0003200034.tif 000006